(57)【要約】【課題】  煮炊き時間等を短縮させることにより省エネを図り、また煮こぼれや煮汁の飛散防止に有効な炊飯・煮炊き用鍋を簡素に且つ安価に構成する。【解決手段】  鍋本体２の開口部周縁に、鍋蓋３の外周部を囲んで立ち上がるエプロン部２ｅを設け、鍋蓋３の形状として、中央が高く周囲が低い断面アーチ型にし、鍋蓋３の所定箇所に複数の排出孔７を貫通して設ける。これら排出孔７の上部を耐熱ゴム製の弾性素材である蒸気等排出部材５で覆い、この蒸気等排出部材５の下面に、放射方向に延び、周縁部に向けて開口する凹条溝８を設け、排出孔７から出された蒸気等が、凹条溝８を通って、鍋蓋３の上面に向けて排出されるようにする。【選択図】      図２
2011147756.tif 000002
【特許請求の範囲】
【請求項１】
鍋本体と鍋蓋を備えた炊飯・煮炊き用鍋であって、前記鍋本体の開口部周縁は、鍋蓋の周縁より外側上方に延出して鍋蓋を囲むエプロン部とされ、また前記鍋蓋は、中央の摘み部分の高さが一番高く周縁に向けて高さが低くなるように湾曲する断面アーチ形状にされるとともに、この鍋蓋の所定箇所には、蒸気等を排出する排出孔が設けられ、また、摘み部分には、鍋蓋上面に密接する弾性素材からなる蒸気等排出部材が前記鍋蓋の排出孔の上面を覆うように設けられ、この蒸気等排出部材の下面には、前記鍋蓋の排出孔に連通し、かつ該排出孔から排出される蒸気等を蒸気等排出部材の周縁部から排出するための凹条溝が放射方向に沿って形成されることを特徴とする炊飯・煮炊き用鍋。
【請求項２】
前記鍋蓋の排出孔は複数設けられるとともに、前記蒸気等排出部材の凹条溝も複数条設けられ、該蒸気等排出部材を中心軸まわりに回転させることにより、蒸気等の排出量を調整可能にしたことを特徴とする請求項１に記載の炊飯・煮炊き用鍋。
【請求項３】
前記蒸気等排出部材は、容易に分解できるようにされることを特徴とする請求項１又は請求項２に記載の炊飯・煮炊き用鍋。
【発明の詳細な説明】
【技術分野】
【０００１】
本発明は、煮炊きや煮沸時間を短縮させることにより省エネを図ることができ、また煮こぼれや煮汁の飛散防止に有効な炊飯・煮炊き用鍋に関する。
【背景技術】
【０００２】
従来、鍋本体と鍋蓋を備えた調理用鍋において、鍋本体と鍋蓋の隙間から煮こぼれが発生するのを防止する技術として、例えば、鍋からあふれ出る煮汁を鍋本体の煮汁受けで受け、これを戻し口を通して鍋本体内に戻すような技術（例えば、特許文献１参照。）とか、鍋本体と鍋蓋の隙間から煮こぼれが発生する前に、鍋本体内の水蒸気を鍋蓋のニードル弁で逃がすような技術（例えば、特許文献２参照。）とか、鍋蓋として、ステンレススチールによって内部が空洞の半球状の網を形成し、底部にＵ字状の輪を嵌入するような技術（例えば、特許文献３参照。）などが知られている。
一方、鍋蓋の中央の摘みに蒸気抜き孔を設けるような技術（特許文献４参照。）も知られており、この技術では摘みを筒壁に対して回転可能に嵌着し、摘みの回転操作によって蒸気抜き孔の開度を調整できるようにしている。
【先行技術文献】
【特許文献】
【０００３】
【特許文献１】特開平５−２７７０３１号公報
【特許文献２】特開２００５−２１１６３５号公報
【特許文献３】特開２００７−３０１３２２号公報
【特許文献４】特開平８−１６４０７６号公報
【発明の概要】
【発明が解決しようとする課題】
【０００４】
ところで、前記特許文献１や特許文献２のように鍋本体に煮汁受けや戻し口を設けたり、鍋蓋にニードル弁を設けるような技術は、構造が複雑になりがちで高価なものになりやすく、しかも、戻し口やニードル弁に煮汁等が詰まったり付着したりした場合には手入れが面倒くさいという問題があった。また、特許文献３のように、鍋蓋自体を網にした場合には、煮汁が外部に噴出す等のおそれを防止できるものの、鍋本体の内部を密閉することができないため、煮炊き時間等をあまり短縮することができず、ガスの使用量等を削減するのに限界があった。
更に、特許文献４のように、摘みに開度調整可能な蒸気抜き孔を設けるような技術においては、鍋本体と鍋蓋の隙間から煮汁が出た場合には、鍋周辺のレンジまわりに煮汁がこぼれて汚れ、炊事環境を清潔に維持できないという問題があった。
【０００５】
そこで本発明は、極めて簡素な構成を採用することにより安価に構成でき、煮炊きや煮沸時間の短縮させることにより省エネを図ることができるとともに、煮こぼれや煮汁の飛散防止に有効で、かつ手入れの簡単な炊飯・煮炊き用鍋を提供することを目的とする。
【課題を解決するための手段】
【０００６】
上記目的を達成するため本発明は、鍋本体と鍋蓋を備えた炊飯・煮炊き用鍋において、前記鍋本体の開口部周縁を、鍋蓋の周縁より外側上方に延出して鍋蓋を囲むエプロン部とし、また前記鍋蓋を、中央の摘み部分の高さが一番高く周縁に向けて高さが低くなるように湾曲する断面アーチ形状にするとともに、この鍋蓋の所定箇所に蒸気等を排出する排出孔を設け、また、摘み部分には、鍋蓋上面に密接する弾性素材からなる蒸気等排出部材を前記鍋蓋の排出孔の上面を覆うように設け、この蒸気等排出部材の下面には、前記鍋蓋の排出孔に連通し、かつ該排出孔から排出される蒸気等を蒸気等排出部材の周縁部から排出するための凹条溝を放射方向に沿って形成するようにした。
【０００７】
そして、煮炊きにおいて、鍋本体内の圧力が高まってくると、鍋蓋の排出孔を通った蒸気や煮汁等が蒸気排出部材の凹条溝を通って鍋蓋の上面に排出されるようにすれば、この蒸気等は、鍋蓋の周囲を囲うエプロン部によって鍋の外に出ることなく鍋本体と鍋蓋の隙間から鍋本体内に戻される。この際、排出される蒸気等として、軽い蒸気以外に比較的重い煮汁や水分等が含まれる場合にも、煮汁や水分等は鍋蓋のアーチ形状に沿って斜め下方に排出されるため、周囲に飛散することがない。
また、鍋本体内の圧力が所定値以上に高まった場合でも、蒸気等排出部材が弾性素材であるため、鍋蓋の排出孔から排出される蒸気等の圧力によって蒸気等排出部材が弾性変形し、鍋蓋と蒸気等排出部材の間に隙間が生じて過度な圧力を逃がすよう作用し、鍋蓋がガタツクような不具合がない。
また、鍋蓋を閉めたまま煮炊きするため、煮炊き時間を短縮させることができ省エネを図ることができる。
更に、構成が簡素であるため、安価に構成できる。
【０００８】
このとき、鍋蓋の排出孔を複数設けるとともに、蒸気等排出部材の凹条溝も複数条設け、蒸気等排出部材を中心軸まわりに回転させることにより、蒸気等の排出量を調整可能にすれば、状況に合せて適切な量だけ蒸気等を排出できるようになり、より好ましい。
【０００９】
また本発明では、前記蒸気等排出部材を容易に分解できるようにした。
このように、蒸気等排出部材を容易に取り外すことができるようにすることで、例えば蒸気排出部材の凹状溝に煮汁等が詰まるようになった場合でも簡単に手入れすることができる。
【発明の効果】
【００１０】
鍋本体と鍋蓋を備えた炊飯・煮炊き用鍋において、鍋本体の開口部周縁を鍋蓋を囲むエプロン部とし、また鍋蓋の形状を断面アーチ形状にするとともに、この鍋蓋の所定箇所に蒸気等を排出する排出孔を設け、摘み部分に鍋蓋上面に密接する弾性素材からなる蒸気等排出部材を前記鍋蓋の排出孔の上面を覆うように設け、この蒸気等排出部材の下面には、鍋蓋の排出孔から排出される蒸気等を蒸気等排出部材の周縁部から排出するための凹条溝を形成することで、煮汁等の飛散を確実に防止でき、また煮炊き時間の短縮によって省エネを図ることができ、しかも簡素な構成でより安価に構成できる。
この際、鍋蓋の排出孔を複数設けるとともに、蒸気等排出部材の凹条溝も複数条設け、蒸気等排出部材を中心軸まわりに回転させることで蒸気等の排出量を調整可能にすれば、より好ましい。
また、蒸気等排出部材を容易に分解できるようにすれば、例えば蒸気排出部材の凹状溝に煮汁等が詰まるようになった場合でも簡単に手入れすることができて便利である。
【図面の簡単な説明】
【００１１】
【図１】本発明に係る炊飯・煮炊き用鍋の一例を示す全体斜視図である。
【図２】同炊飯・煮炊き用鍋の縦断面図である。
【図３】鍋蓋を裏側から見た説明図である。
【図４】蒸気等排出部材の凹条溝の説明図である。
【図５】蒸気等の排出量を調整する際の鍋蓋の排出孔と蒸気等排出部材の凹条溝の関係を示す説明図である。
【発明を実施するための形態】
【００１２】
本発明に係る炊飯・煮炊き用鍋の実施例について添付した図面に基づき説明する。
本発明に係る炊飯・煮炊き用鍋は、煮炊きや煮沸時間を短縮させることにより省エネを図ることができ、また煮こぼれや煮汁の飛散防止に有効な炊飯・煮炊き用鍋を安価に構成できるようにされている。
【００１３】
本炊飯・煮炊き用鍋１の一例は、図１、図２に示すように、金属製の鍋本体２と鍋蓋３を備えており、鍋本体２は、上部の開口部付近に、鍋蓋３の周縁より外側上方に延出して鍋蓋３の周囲を取り囲むエプロン部２ｅを備え、このエプロン部２ｅは、一旦外側に向けて径が拡がる方向に湾曲した後、内側に向けて湾曲し直すような形態にされている。
【００１４】
前記鍋蓋３は、図２に示すように、中央の摘み４部分の高さが一番高く、周縁に向かうほど高さが低くなるように湾曲する断面アーチ形状にされ、中央上部にネジ棒６が溶着等によって固着されており、このネジ棒６は、後述する蒸気等排出部材５の挿通孔５ｈを若干の隙間をもって挿通し、その上から、摘み４のネジ孔４ｎをネジ棒６の上部に螺合させることにより、蒸気等排出部材５の下面を、鍋蓋３の上面に密接させると同時に、蒸気等排出部材５が抜け出すのを防止している。
なお、本実施例では、摘み４と蒸気等排出部材５を別体に構成しているが、これらを一体に構成してもよい。
【００１５】
また、鍋蓋３の所定箇所には、図３に示すように、複数個の排出孔７が貫通して設けられ、この排出孔７の位置は、以下に述べる蒸気等排出部材５の径より小さい範囲に収まるよう中心部寄りの位置にすることで、蒸気等排出部材５によってすべての排出孔７を覆うことができるようにされている。
【００１６】
前記蒸気等排出部材５は、耐熱性ゴム等の弾性素材から構成され、図４に示すように、下面側（鍋蓋３上面との接触面）に複数の凹条溝８が彫り込んで形成され、この凹条溝８は、蒸気等排出部材５の放射方向に沿って形成されるとともに、周縁部に向けて開口している。
【００１７】
このため、鍋蓋３の排出孔７の上部に凹条溝８が位置すると、図２に示すように、鍋本体２内の蒸気等が排出孔７と凹条溝８を通って鍋蓋３の上面に向けて排出されるようになるが、この際、比較的軽い蒸気は上方に飛散し、比較的重い水分や煮汁等は鍋蓋３の断面アーチ形状に沿って斜め下方に落下し、鍋蓋３と鍋本体２の隙間から鍋本体２内に戻されるようになり、煮汁等が周囲に飛散するような不具合を抑制できる。この際、エプロン部２ｅの上端の形状が内側に向けて湾曲しているため、煮汁等が外にこぼれ出す恐れが少ない。
【００１８】
ところで、鍋蓋３の排出孔７と蒸気等排出部材５の凹条溝８の相対位置関係を変化させると、蒸気等の排出量を調整することができる。
すなわち、図５（ａ）に示すように、蒸気等排出部材５をネジ棒６周りに回転させ、凹条溝８が最大個数の排出孔７の上部に位置するように調整すれば、全開状態となって蒸気等の排出量を最大にすることができ、図５（ｃ）に示すように、凹条溝８が最小個数の排出孔７の上部に位置するように調整すれば、排出量を最小にすることができ、図５（ｂ）に示すように、両者の中間位置にすれば、排出量を中間程度にすることができる。また、図５（ｄ）に示すように、全ての排出孔７を塞ぐ位置に廻せば、すれば蒸気等の排出量をゼロにすることができる。
この際、鍋蓋３と蒸気等排出部材５の所定箇所には、全開、中開、小開、全閉の位置を知ることのできる目盛り等を表示している。
もちろん、摘み４と蒸気等排出部材５とを一体化している場合は、摘み４を回転させることにより蒸気等排出部材５を回転させることができるためより便利である。
【００１９】
そして、このような蒸気等の排気量調整は、具材の種類や料理の種類などによって適切に調整することで、よりおいしい料理を効率よく調理することができる。
【００２０】
なお、このような炊飯・煮炊き用鍋１は、カレーや煮込み料理等の調理以外に、例えば米を炊くための炊飯用として、またはウドンやソバやパスタ等を茹でるのための鍋などとして広い用途の調理に使用することができる。
【００２１】
この際、鍋本体２内の圧力が所定値以上に高まり、鍋蓋３の排出孔７から排出される蒸気等の圧力が高まった場合でも、蒸気等排出部材５が弾性素材である耐熱ゴム製のため、蒸気等排出部材５が弾性変形し、鍋蓋３と蒸気等排出部材５との間に隙間が生じて過度な圧力を逃がすよう作用する。このため、鍋蓋３がガタツクような不具合がない。
【００２２】
また、摘み４のネジを緩めて摘み４を取り外すと、蒸気等排出部材５は簡単に取り外すことができるため、例えば凹条溝８などに異物が詰まったような場合でも分解して取り除くことができ手入れが簡単である。
【００２３】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、凹条溝８や排出孔７の位置や数等は例示である。
【産業上の利用可能性】
【００２４】
煮こぼれや煮汁の飛散防止に有効であり、また、煮炊き時間等を短縮させることができて省エネが図られるため、例えば家庭等の調理具などとして広い範囲における普及が期待される。
【符号の説明】
【００２５】
１…炊飯・煮炊き用鍋、２…鍋本体、３…鍋蓋、５…蒸気等排出部材、７…排出孔、８…凹条溝。
【図１】
2011147756.tif 000003
【図２】
2011147756.tif 000004
【図３】
2011147756.tif 000005
【図４】
2011147756.tif 000006
【図５】
2011147756.tif 000007